(57)【要約】【課題】汎用性を向上させることができる洗浄水供給装置および水洗大便器を提供すること。【解決手段】実施形態に係る洗浄水供給装置は、入水部と、給水弁部と、バキュームブレーカ部と、出水部とを備える。入水部は、洗浄水が導入される。給水弁部は、入水部の下流側に設けられ、流路を開閉する給水弁を含む。バキュームブレーカ部は、給水弁部の下流側に設けられ、バキュームブレーカを含む。出水部は、バキュームブレーカ部の下流側に設けられ、洗浄水が導出される。また、実施形態に係る洗浄水供給装置は、入水部および給水弁部を含む第１ユニットと、バキュームブレーカ部および出水部を含む第２ユニットとに分割可能に構成される。【選択図】図４Ａ
2020094485.tif 000002
【特許請求の範囲】
【請求項１】
便器本体に洗浄水を供給する洗浄水供給装置であって、
洗浄水が導入される入水部と、
前記入水部の下流側に設けられ、流路を開閉する給水弁を含む給水弁部と、
前記給水弁部の下流側に設けられ、バキュームブレーカを含むバキュームブレーカ部と、
前記バキュームブレーカ部の下流側に設けられ、洗浄水が導出される出水部と
を備え、
前記入水部および前記給水弁部を含む第１ユニットと、前記バキュームブレーカ部および前記出水部を含む第２ユニットとに分割可能に構成されること
を特徴とする洗浄水供給装置。
【請求項２】
請求項１に記載の洗浄水供給装置を備えることを特徴とする水洗大便器。
【発明の詳細な説明】
【技術分野】
【０００１】
開示の実施形態は、洗浄水供給装置および水洗大便器に関する。
【背景技術】
【０００２】
従来、リム吐水口とジェット吐水口とを有するボウル部に対して、リム吐水口には洗浄水を水道から直接供給し、ジェット吐水口にはタンク内に貯水された洗浄水を加圧して供給する洗浄水供給装置が知られている（特許文献１参照）。
【０００３】
洗浄水供給装置は、たとえば、ボウル部への洗浄水の吐水・止水を切り替える給水弁部、洗浄水の流出先を切り替える切替弁部、洗浄水の逆流を防止するバキュームブレーカ等を備える。従来、これらは金型等により一体的に形成されていた。
【先行技術文献】
【特許文献】
【０００４】
【特許文献１】ＷＯ２００５／０９８１５２号
【発明の概要】
【発明が解決しようとする課題】
【０００５】
しかしながら、従来の洗浄水供給装置は、上述したように一体成形により形成されるため、たとえば一部の構成を変更する場合であっても装置全体を新たに製造しなければならず、汎用性に欠けるものであった。
【０００６】
開示の実施形態は、汎用性を向上させることができる洗浄水供給装置および水洗大便器を提供することを目的とする。
【課題を解決するための手段】
【０００７】
実施形態の一態様に係る洗浄水供給装置は、便器本体に洗浄水を供給する洗浄水供給装置であって、洗浄水が導入される入水部と、前記入水部の下流側に設けられ、流路を開閉する給水弁を含む給水弁部と、前記給水弁部の下流側に設けられ、バキュームブレーカを含むバキュームブレーカ部と、前記バキュームブレーカ部の下流側に設けられ、洗浄水が導出される出水部とを備え、前記入水部および前記給水弁部を含む第１ユニットと、前記バキュームブレーカ部および前記出水部を含む第２ユニットとに分割可能に構成されることを特徴とする。
【０００８】
入水部および給水弁部を含む第１ユニットと、バキュームブレーカ部および出水部を含む第２ユニットとに分割可能に構成することで、水洗大便器に必要な機能等に応じて第１ユニットおよび第２ユニットの組み替えが可能となるため、汎用性の高い洗浄水供給装置を提供することができる。
【０００９】
また、前記入水部から前記出水部までの流路のうち、前記第１ユニットに形成される第１流路は、前記入水部から前記出水部までの流路のうち、前記第２ユニットに形成される第２流路よりも剛性の高い材料により形成されることを特徴とする。
【００１０】
洗浄水供給装置を第１ユニットと第２ユニットに分割可能に構成したことで、第１ユニットと第２ユニットを異なる材料で形成することが可能となる。そして、比較的強度を求められる第１流路を第２流路よりも剛性の高い材料で形成することにより、製造コストを低く抑えることができる。
【００１１】
また、前記第１ユニットは、前記第２ユニットの下部に配置され、前記給水弁部は、ネジが上方から挿入される複数の上側ネジ穴が形成された上側ハウジングと、前記複数の上側ネジ穴に対応する複数の下側ネジ穴が形成された下側ハウジングとを備え、前記複数の上側ネジ穴の少なくとも一つは、前記第１ユニットおよび前記第２ユニットを上方から見たときに、前記第２ユニットによって隠れる位置に設けられることを特徴とする。
【００１２】
洗浄水供給装置のフットプリントを小さくしようとすると、給水弁部の上側ハウジングと下側ハウジングとの締結に用いるネジ穴を給水弁部の上方に設けられるバキュームブレーカ部等によって隠れる位置に設けざるを得ない場合がある。このため、従来では、下方すなわち下側ハウジング側からネジを挿入するようにしていた。これに対し、実施形態の一態様に係る洗浄水供給装置は、第１ユニットと第２ユニットとに分割可能に構成されるため、複数の上側ネジ穴の少なくとも一つが第２ユニットによって隠れる位置に設けられていたとしても、第２ユニットを取り外すことで、全ての上側ネジ穴に対して上方からアクセスすることが可能となる。このため、従来と比較して、施工性やメンテナンス性を向上させることができる。
【００１３】
また、前記第２ユニットは、前記給水弁部の下流側に設けられ、前記洗浄水の流出先を切り替える切替弁部をさらに含むことを特徴とする。
【００１４】
給水弁部の下流側すなわち２次側に設けられる切替弁部は、給水弁部と比較して高い剛性を要しない。そこで、切替弁部を第２ユニットに含めることで、切替弁部を第１ユニットに含めた場合と比較してコストを削減することができる。
【００１５】
また、前記バキュームブレーカ部は、上流側に入水口、下流側に出水口を有する通水路と、前記通水路と外部とを連通する大気導入口と、前記通水路内に設けられ、前記洗浄水の水圧によって動作することにより通水時には前記入水口と前記出水口とを連通させ、非通水時には前記入水口と前記大気導入口とを連通させる弁体と、前記大気導入口から溢れ出た洗浄水を受ける水受け部とを有し、前記切替弁部は、前記バキュームブレーカ部の下流側に設けられることを特徴とする。
【００１６】
切替弁は、洗浄水の流出先を一の流出先から他の流出先へ切り替える際に、両方の流出先に洗浄水が流出する状態を経由する。このように両方の流出先に洗浄水が流出する状態においては、各流出先に流れる洗浄水の流量が、切替弁の上流側を流れる洗浄水の流量よりも少なくなる。したがって、仮に、切替弁の下流側にバキュームブレーカを設けた場合、流量の低下に伴う水圧の低下によってバキュームブレーカの弁体が正常に動作せず、便器本体へ供給されるべき洗浄水が大気導入口から溢れ出るおそれがある。このため、従来より、バキュームブレーカには、大気導入口から溢れ出た洗浄水を受ける水受け部が設けられている。一方、切替弁の上流側においては、上述したような流量の低下は生じない。そこで、実施形態の一態様に係る洗浄水供給装置では、バキュームブレーカを切替弁の上流側に設けることとした。これにより、流量の低下に伴う水圧の低下によって弁体の動作不良が生じる事態を抑制することができる。弁体の動作不良の発生が抑制されることで、大気導入口から溢れ出る洗浄水の量が低減されるため、水受け部を従来よりも小型化することができる。これにより、従来と比較して洗浄水供給装置を小型化することができる。
【００１７】
また、実施形態の一態様に係る水洗大便器は、上記洗浄水供給装置のいずれか一つを備えることを特徴とする。
【００１８】
これにより、洗浄水供給装置の製造コストが抑えられるため、水洗大便器の製造コストを抑えることができる。
【発明の効果】
【００１９】
実施形態の一態様によれば、汎用性を向上させることができる洗浄水供給装置および水洗大便器を提供することができる。
【図面の簡単な説明】
【００２０】
【図１】図１は、実施形態に係る水洗大便器の構成を示す図である。
【図２Ａ】図２Ａは、バルブユニットの正面図である。
【図２Ｂ】図２Ｂは、バルブユニットの側面図である。
【図３Ａ】図３Ａは、バキュームブレーカ部および切替弁部周辺の正断面図である。
【図３Ｂ】図３Ｂは、バキュームブレーカ部および切替弁部周辺の側断面図である。
【図４Ａ】図４Ａは、バルブユニットの分離斜視図である。
【図４Ｂ】図４Ｂは、バルブユニットの分離正面図である。
【図４Ｃ】図４Ｃは、バルブユニットの分離側面図である。
【図５Ａ】図５Ａは、洗浄水供給装置を組み込んだ水洗大便器の平面図である。
【図５Ｂ】図５Ｂは、バルブユニットから第２ユニットを取り外した状態を示す平面図である。
【図６Ａ】図６Ａは、第１変形例に係るバルブユニットの構成を示す図である。
【図６Ｂ】図６Ｂは、第２変形例に係るバルブユニットの構成を示す図である。
【発明を実施するための形態】
【００２１】
以下、添付図面を参照して、本願の開示する洗浄水供給装置および水洗大便器の実施形態を詳細に説明する。なお、以下に示す実施形態によりこの発明が限定されるものではない。
【００２２】
＜１．水洗大便器の構成＞
まず、実施形態に係る水洗大便器の構成について図１を参照して説明する。図１は、実施形態に係る水洗大便器の構成を示す図である。
【００２３】
図１に示すように、実施形態に係る水洗大便器１００は、たとえばトイレ室の床面に載置される便器本体２００と、便器本体２００の後方に配置され、便器本体２００に対して洗浄水を供給する洗浄水供給装置１とを備える。
【００２４】
便器本体２００は、汚物を受けるボウル部２１０と、このボウル部２１０の底部から後方へ延びる排水トラップ管路２２０とを有する。ボウル部２１０にはリム吐水を行うリム吐水口２１２及びジェット吐水を行うジェット吐水口２１４が形成されている。リム吐水口２１２は、ボウル部２１０の上部後方に形成され、ボウル部２１０の上縁に沿って洗浄水を吐出する。ジェット吐水口２１４は、ボウル部２１０の底部に形成され、排水トラップ管路２２０に向けて洗浄水を吐出する。排水トラップ管路２２０は、封水を形成するとともに、下水配管（図示せず）と連通している。
【００２５】
洗浄水供給装置１は、図示しない制御部によって制御されるバルブユニット６００と、バルブユニット６００の下流に設けられ洗浄水を貯留するタンク８００と、タンク８００内の下流に設けられ洗浄水を加圧する加圧ポンプ９００とを備える。
【００２６】
バルブユニット６００の上流側には、図示しない給水源からの洗浄水を供給する給水路３２０が接続される。また、バルブユニット６００の下流側には、リム吐水口２１２に洗浄水を供給するためのリム側給水路３４０とタンク８００に洗浄水を供給するためのタンク側給水路３６０とが接続される。
【００２７】
バルブユニット６００は、入水部６１０と、入水部６１０の下流側に設けられる定流量弁６２０と、定流量弁６２０の下流に設けられるダイヤフラム式の給水弁部６４０とを備える。また、バルブユニット６００は、給水弁部６４０の下流に設けられるバキュームブレーカ部６８０と、バキュームブレーカ部６８０の下流に設けられる切替弁部６６０と、切替弁部６６０の下流側に設けられる出水部６７０とを備える。
【００２８】
入水部６１０は、給水路３２０に接続され、図示しない給水源からの洗浄水が導入される。定流量弁６２０は、給水路３２０から定流量弁６２０に流れ込んで下流側へ向かう洗浄水の流量を一定にする。給水弁部６４０は、給水弁を開閉させることにより、リム吐水口２１２及びジェット吐水口２１４における洗浄水の吐水と止水とを切替える。
【００２９】
バキュームブレーカ部６８０は、洗浄水の逆流を防止するバキュームブレーカ６８７を含んで構成される。切替弁部６６０は、リム側給水路３４０またはタンク側給水路３６０へ向けて洗浄水を供給する。なお、バキュームブレーカから溢れ出た洗浄水は、バキュームブレーカ部６８０の水受け部６８４によって捕集された後、水受け部６８４の底面に接続された排水路３９０によってタンク８００に排出される。
【００３０】
出水部６７０は、リム側給水路３４０に接続され、リム側給水路３４０に対して洗浄水を導出するリム側出水部６７１と、タンク側給水路３６０に接続され、タンク側給水路３６０に対して洗浄水を導出するタンク側出水部６７２とを備える。
【００３１】
タンク８００の下部には、ポンプ側給水路３７０が接続されており、このポンプ側給水路３７０の下流端には加圧ポンプ９００が接続されている。加圧ポンプ９００は、ジェット側給水路３８０によりジェット吐水口２１４と接続されており、タンク８００に貯水された洗浄水を加圧してジェット側給水路３８０経由でジェット吐水口２１４へ供給する。
【００３２】
実施形態に係るバルブユニット６００は、入水部６１０、定流量弁６２０および給水弁部６４０を含む第１ユニット６０１と、バキュームブレーカ部６８０、切替弁部６６０および出水部６７０を含む第２ユニット６０２とに分割可能に構成される。以下では、かかるバルブユニット６００の構成について具体的に説明する。
【００３３】
＜２．バルブユニットの構成＞
バルブユニット６００の具体的な構成について図２Ａ〜図３Ｂを参照して説明する。図２Ａはバルブユニット６００の正面図であり、図２Ｂは同側面図である。また、図３Ａはバキュームブレーカ部６８０および切替弁部６６０周辺の正断面図であり、図３Ｂは同側断面図である。
【００３４】
なお、以下では、位置関係を明確にするために、互いに直交するＸ軸、Ｙ軸およびＺ軸を規定し、Ｚ軸正方向を鉛直上向き方向とする。
【００３５】
図２Ａ〜図３Ｂに示すように、バルブユニット６００は、第１ユニット６０１と第２ユニット６０２とを備える。
【００３６】
第１ユニット６０１は、第２ユニット６０２の下部に配置され、入水部６１０、定流量弁６２０（図３Ａ参照）および給水弁部６４０を含んで構成される。入水部６１０、定流量弁６２０および給水弁部６４０は、水平方向（ここでは、Ｘ軸方向）に並べて配置される。入水部６１０は、水平方向に向けて開口する入水口６１１を有し、かかる入水口６１１から導入された洗浄水を定流量弁６２０および給水弁部６４０へ導く。定流量弁６２０は、たとえば入水部６１０内の入水口６１１よりも下流側の位置に設けられる。
【００３７】
図３Ａに示すように、給水弁部６４０は、圧力室６４１と、給水弁６４２と、電磁弁６４３と、ハウジング６４４とを備える。圧力室６４１は、入水部６１０に連通する入水口６４１ａと、バキュームブレーカ部６８０に連通する出水口６４１ｂとを有する。入水口６４１ａは、水平方向に向けて開口し、出水口６４１ｂは、鉛直方向に向けて開口する。給水弁６４２は、圧力室６４１の内部に設けられ、出水口６４１ｂを閉鎖または開放することにより、出水口６４１ｂよりも下流側への洗浄水の吐水と止水とを切替える。
【００３８】
電磁弁６４３は、圧力室６４１の側方に設けられる。電磁弁６４３が開放されると、圧力室６４１の圧が抜け、洗浄水の水圧によって給水弁６４２が押し下げられる。これにより、出水口６４１ｂが開放されて、洗浄水がバキュームブレーカ部６８０へ流入する。一方、電磁弁６４３が閉鎖されると、圧力室６４１の圧が高まり、給水弁６４２が押し上げられる。これにより、出水口６４１ｂが閉鎖されて、バキュームブレーカ部６８０への洗浄水の供給が停止される。
【００３９】
ハウジング６４４は、上側ハウジング６４５と下側ハウジング６４６とを有し、これらを上下方向に組み付けることにより形成される。上述した圧力室６４１は、かかるハウジング６４４の内部に形成される。上側ハウジング６４５は、下側ハウジング６４６の上部に設けられ、圧力室６４１における給水弁６４２よりも上方の空間を形成する。また、下側ハウジング６４６は、圧力室６４１における給水弁６４２よりも下方の空間を形成する。なお、上側ハウジング６４５は、入水部６１０と一体成形により形成される。
【００４０】
図２Ａおよび図２Ｂに示すように、上側ハウジング６４５の外周部には上側フランジ部６４７が設けられ、下側ハウジング６４６の外周部には下側フランジ部６４８が設けられる。上側フランジ部６４７には、ネジＳが上方から挿入される複数の上側ネジ穴６４７ａが周方向に沿って形成される。また、下側フランジ部６４８には、複数の上側ネジ穴６４７ａに対応する位置に複数の下側ネジ穴６４８ａが形成される。
【００４１】
かかるハウジング６４４は、上側ネジ穴６４７ａとこれに対応する下側ネジ穴６４８ａとにネジＳを挿入し、上側ハウジング６４５と下側ハウジング６４６とをネジＳで締結することにより形成される。
【００４２】
一方、第２ユニット６０２は、第１ユニット６０１の上部に配置され、バキュームブレーカ部６８０、切替弁部６６０および出水部６７０（リム側出水部６７１およびタンク側出水部６７２）を含んで構成される。
【００４３】
図３Ｂに示すように、バキュームブレーカ部６８０は、バキュームブレーカ６８７と、水受け部６８４とを備える。また、バキュームブレーカ６８７は、通水路６８１と、大気導入口６８２と、弁体６８３とを備える。
【００４４】
通水路６８１は、上流側（給水弁部６４０側）に入水口６８５、下流側（切替弁部６６０側）に出水口６８６を有する。入水口６８５は鉛直方向に向けて開口し、出水口６８６は水平方向に向けて開口する。大気導入口６８２は、通水路６８１と外部とを連通する開口部であり、入水口６８５の上方に設けられ、鉛直方向に向けて開口する。
【００４５】
弁体６８３は、通水路６８１内に設けられ、洗浄水の水圧によって通水路６８１内を上下動する。かかる弁体６８３は、通水時には水圧により上昇して入水口６８５と出水口６８６とを連通させ、非通水時には自重により降下して入水口６８５と大気導入口６８２とを連通させる。
【００４６】
水受け部６８４は、大気導入口６８２の上部に設けられる。水受け部６８４は、大気導入口６８２と連通しており、大気導入口６８２から溢れ出た洗浄水を受ける。水受け部６８４の底面には、排水路３９０（図１参照）が接続されており、水受け部６８４により捕集された洗浄水は、排水路３９０経由でタンク８００に排出される。
【００４７】
切替弁部６６０は、固定弁体６６１と、可動弁体６６２と、シャフト６６６と、モータ６６７と、ケーシング部６６８とを備える。固定弁体６６１は、円板状の対向面６６１ａを有し、かかる対向面６６１ａに、洗浄水が流入する流入口６６３と、２つの流出口６６４，６６５とが形成される。流入口６６３および２つの流出口６６４，６６５は、たとえば、対向面６６１ａの中心部から外周部に向かって扇状に広がる形状を有し、対向面６６１ａに対して周状に並べて配置される。流入口６６３および２つの流出口６６４，６６５は、いずれも水平方向に向けて開口する。
【００４８】
切替弁部６６０の流入口６６３は、バキュームブレーカ部６８０の出水口６８６と同一の高さに位置し、出水口６８６と連接する。また、２つの流出口６６４，６６５のうち、流出口６６４はリム側出水部６７１に連通し、流出口６６５はタンク側出水部６７２に連通する。
【００４９】
リム側出水部６７１は、リム側給水路３４０に接続され、リム側給水路３４０に対して洗浄水を導出する。また、タンク側出水部６７２は、タンク側給水路３６０に接続され、タンク側給水路３６０に対して洗浄水を導出する。リム側出水部６７１およびタンク側出水部６７２は、バキュームブレーカ部６８０および切替弁部６６０の並び方向（図３Ａにおいて紙面に垂直な方向）を切替弁部６６０の前後方向とした場合における切替弁部６６０の側方（図３Ｂにおいて紙面に垂直な方向）にそれぞれ設けられる。
【００５０】
なお、ここでは、固定弁体６６１に２つの流出口６６４，６６５が形成される場合の例について説明するが、固定弁体６６１には、３つ以上の流出口が形成されてもよい。また、固定弁体６６１は、給水弁部６４０からバキュームブレーカ部６８０へ至る流路を構成する。かかる流路は、上方に延びており（図３Ｂ参照）、洗浄水はかかる流路を上昇してバキュームブレーカ部６８０へ流入する。
【００５１】
可動弁体６６２は、たとえば扇形状を有し、固定弁体６６１の対向面６６１ａに接する位置に設けられる。シャフト６６６は、可動弁体６６２を回転可能に支持し、モータ６６７は、シャフト６６６を回転させる。モータ６６７がシャフト６６６を回転させ、シャフト６６６の回転に伴って可動弁体６６２が回転することにより、可動弁体６６２は、対向面６６１ａに沿って摺動して流出口６６４，６６５の開口面積を変化させる。なお、モータ６６７としては、たとえばステッピングモータを用いることができる。
【００５２】
かかる切替弁部６６０は、可動弁体６６２を摺動させて、流出口６６４，６６５のうちの一方を可動弁体６６２で塞ぐことにより、流入口６６３から流入した洗浄水の流出先をリム吐水口２１２とタンク８００との間で切り替えることができる。たとえば、流出口６６５を可動弁体６６２で塞いだ場合、流入口６６３から流入した洗浄水は流出口６６４を介してリム吐水口２１２へ流出する。一方、流出口６６４を可動弁体６６２で塞いだ場合、流入口６６３から流入した洗浄水は流出口６６５を介してタンク８００へ流出する。
【００５３】
図４Ａはバルブユニット６００の分離斜視図であり、図４Ｂは同分離正面図であり、図４Ｃは同分離側面図である。
【００５４】
図４Ａ〜図４Ｃに示すように、実施形態に係るバルブユニット６００は、第１ユニット６０１と第２ユニット６０２とに分離可能である。これにより、第１ユニット６０１および第２ユニット６０２を適宜組み替えることができるため、たとえばバキュームブレーカ部６８０の構成を変更したい場合には、第２ユニットのみ新たに製造して既存の第１ユニット６０１に組み付ければよい。このように、実施形態に係るバルブユニット６００によれば、汎用性の高い洗浄水供給装置１を提供することができる。
【００５５】
また、バルブユニット６００を第１ユニット６０１と第２ユニット６０２とに分割可能とすることにより、ユニットごとに、要求される強度に応じた材料を選択することが可能となる。
【００５６】
具体的には、実施形態に係るバルブユニット６００では、入水部６１０から出水部６７０（リム側出水部６７１およびタンク側出水部６７２）までの流路のうち、第１ユニット６０１に形成される第１流路Ｐ１（図３Ａ参照）は、上記流路のうち、第２ユニット６０２に形成される第２流路Ｐ２（図３Ｂ参照）よりも剛性の高い材料により形成される。このように、比較的強度を求められる１次側の流路である第１流路Ｐ１を２次側の流路である第２流路Ｐ２よりも剛性の高い材料で形成することにより、製造コストを低く抑えることができる。
【００５７】
第１流路Ｐ１は、入水部６１０と給水弁部６４０の上側ハウジング６４５および下側ハウジング６４６とによって構成され、第２流路Ｐ２は、切替弁部６６０とバキュームブレーカ部６８０とによって構成される。第１流路Ｐ１を構成する入水部６１０、上側ハウジング６４５および下側ハウジング６４６は、たとえばＰＰＳ（ポリフェニレンスルファイド）で形成され、第２流路Ｐ２を構成する切替弁部６６０およびバキュームブレーカ部６８０は、ＰＯＭ（ポリアセタール）またはＰＰ（ポリプロピレン）で形成される。
【００５８】
次に、第１ユニット６０１および第２ユニット６０２の接続部の構成について説明する。第１ユニット６０１の給水弁部６４０は、出水口６４１ｂ（図３Ａ参照）の下流側に、鉛直方向に向けて開口する円筒形状の接続凸部６５０ａを備える。また、第２ユニット６０２の固定弁体６６１は、バキュームブレーカ部６８０の入水口６８５（図３Ｂ参照）の上流側に、接続凸部６５０ａよりも内径が大きく、鉛直方向に向けて開口する円筒形状の接続凹部６５０ｂを備える。
【００５９】
図３Ｂに示すように、第１ユニット６０１と第２ユニット６０２とは、接続凸部６５０ａと接続凹部６５０ｂとを嵌め合わせることにより接続される。また、これにより、第１ユニット６０１の給水弁部６４０から第２ユニット６０２のバキュームブレーカ部６８０への流路が形成される。接続凸部６５０ａと接続凹部６５０ｂとの間には、たとえばＯリング等のシール部材６５０ｃが介設される。
【００６０】
また、図４Ａに示すように、接続凸部６５０ａの外周側には、接続凸部６５０ａと所定の間隔をあけて、第１係合部６５１および第２係合部６５３が設けられる。第１係合部６５１は、鉛直方向に沿って延在する第１溝部６５１ａと、第１溝部６５１ａに連通し、接続凸部６５０ａの周方向に沿って延在する第２溝部６５１ｂと、第２溝部６５１ｂの幅を狭める突起部６５１ｃとを備える。また、第２係合部６５３は、接続凸部６５０ａの周方向に沿って延在する第３溝部６５３ａを有する。
【００６１】
また、図４Ｃに示すように、接続凹部６５０ｂの外周面には、接続凹部６５０ｂの径方向外方に向けて突出する第１凸部６５２および第２凸部６５４が設けられる。
【００６２】
そして、図４Ｂに示すように、第２ユニット６０２を降下させて第１凸部６５２を第１係合部６５１の第１溝部６５１ａに嵌め入れた後、第２ユニット６０２をひねって、第１凸部６５２が突起部６５１ｃを乗り越えるまで第１凸部６５２を第２溝部６５１ｂに沿って移動させる。これにより、第１凸部６５２と第１係合部６５１とが係合する。また、上記動作を行うことで、第２凸部６５４が第２係合部６５３の第３溝部６５３ａに嵌め込まれて、第２凸部６５４と第２係合部６５３とが係合する。
【００６３】
このように、第１係合部６５１と第１凸部６５２とが係合し、第２係合部６５３と第２凸部６５４とが係合しているため、仮に、第２ユニット６０２に対して上向きの力が掛かったとしても、第２ユニット６０２の第１ユニット６０１からの抜けを防止することができる。したがって、第１ユニット６０１と第２ユニット６０２との接続をより確実なものとすることができる。
【００６４】
図５Ａは、洗浄水供給装置１を組み込んだ水洗大便器１００の平面図である。また、図５Ｂは、バルブユニット６００から第２ユニット６０２を取り外した状態を示す平面図である。
【００６５】
図５Ａに示すように、第１ユニット６０１は、第２ユニット６０２の下部に配置されており、第１ユニット６０１および第２ユニット６０２を上方から見たときに、第１ユニット６０１に設けられる複数の上側ネジ穴６４７ａの一部が第２ユニット６０２によって隠れる位置に設けられる。従来のバルブユニットにおいては、上方から視認できない上側ネジ穴に対して上方からアクセスすることができないため、下方すなわち下側ハウジング側からネジを挿入するようにしていた。しかしながら、この場合、バルブユニット全体を水洗大便器１００から取り外さねばならず、施工性やメンテナンス性の面で改善の余地があった。
【００６６】
これに対し、実施形態に係るバルブユニット６００は、第１ユニット６０１と第２ユニット６０２とに分割可能であるため、複数の上側ネジ穴６４７ａの少なくとも一つが第２ユニット６０２によって隠れる位置に設けられていたとしても、図５Ｂに示すように、第２ユニット６０２を取り外すことで、全ての上側ネジ穴６４７ａに対して上方からネジＳを挿入することができる。したがって、従来と比較して、施工性やメンテナンス性を向上させることができる。
【００６７】
＜３．バルブニットの組み替え例＞
次に、バルブユニット６００の組み替え例について図６Ａおよび図６Ｂを参照して説明する。図６Ａは、第１変形例に係るバルブユニットの構成を示す図である。また、図６Ｂは、第２変形例に係るバルブユニットの構成を示す図である。
【００６８】
たとえば、図６Ａに示すように、第１変形例に係るバルブユニット６００Ａは、第１ユニット６０１に対して第２ユニット６０２Ａを組み付けて構成される。第２ユニット６０２Ａは、切替弁部６６０の下流側の流路、具体的には、切替弁部６６０からタンク８００へ至る流路と、切替弁部６６０からリム吐水口２１２へ至る流路とに、それぞれバキュームブレーカ部６８０を備える。
【００６９】
また、図６Ｂに示すように、第２変形例に係るバルブユニット６００Ｂは、第１ユニット６０１に対して第２ユニット６０２Ｂを組み付けて構成される。第２ユニット６０２Ｂは、バキュームブレーカ部６８０を備え、切替弁部６６０を備えない構成を有する。かかるバルブユニット６００Ｂは、たとえば単一の吐水口を有する便器本体に対して組み込まれる。
【００７０】
その他、第２ユニットとしては、切替弁部による切り替え先を３系統（リム吐水口２１２およびタンク８００に加え、手洗い器や局所洗浄ノズルなど）へ変更したものや、流路切替手段をモータ６６７から電磁弁や手動に変更したものを第１ユニット６０１に組み合わせることも可能である。
【００７１】
また、第１ユニットについても、たとえば、必要な流量に応じて給水弁６４２の径を変更したものや、給水弁６４２の開弁手段を電磁弁６４３からステッピングモータやサーボモータあるいは手動に変更したものを、上述した第２ユニット６０２，６０２Ａ，６０２Ｂ等に適宜組み合わせることができる。
【００７２】
このように、第１ユニットと第２ユニットとを適宜組み合わせることにより、製造コストを抑えつつ、多種多様な便器本体に対応することが可能となる。
【００７３】
＜４．バルブユニットのその他の構成＞
実施形態に係るバルブユニット６００では、バキュームブレーカ部６８０が切替弁部６６０の上流側に設けられる。この点について説明する。
【００７４】
切替弁部６６０は、たとえば流出口６６４を開放させた状態から流出口６６５を開放させた状態へ移行する際に、両方の流出口６６４，６６５が流入口６６３に連通した状態、すなわち、洗浄水が両方の流出口６６４，６６５から流出する状態（図３Ａに示す状態）を経由する。この状態においては、各流出口６６４，６６５に流れる洗浄水の流量が、切替弁部６６０の上流側を流れる洗浄水の流量よりも少なくなる。
【００７５】
これに対し、実施形態に係る洗浄水供給装置１に係るバキュームブレーカ部６８０は、切替弁部６６０の上流側に設けられる。このため、水圧の低下による弁体６８３の動作不良の発生が抑制されることから、溢れ水の量を低減することができる。これにより、水受け部６８４を従来よりも小型化することができるため、従来と比較して洗浄水供給装置１を小型化することができる。
【００７６】
図３Ｂに示すように、ケーシング部６６８は、可動弁体６６２を挟んで固定弁体６６１の対向面６６１ａと対向配置され、固定弁体６６１とともに流入口６６３から流出口６６４，６６５への洗浄水の流路となる内部空間を形成する。
【００７７】
実施形態に係る洗浄水供給装置１では、バキュームブレーカ部６８０よりも下流側に配置される切替弁部６６０、リム側給水路３４０およびタンク側給水路３６０等が、バキュームブレーカ部６８０の上面よりも低い位置に配置される。具体的には、水受け部６８４の上面よりも低い位置に、切替弁部６６０、リム側給水路３４０およびタンク側給水路３６０等が配置される。
【００７８】
ここで、バキュームブレーカ部６８０の取付位置は、便器本体２００における越流面よりも所定以上高い位置でなければならないと規定されている。このため、バキュームブレーカ部６８０を規定よりも低い位置に取り付けることはできない。そこで、実施形態に係る洗浄水供給装置１では、切替弁部６６０、リム側給水路３４０およびタンク側給水路３６０等をバキュームブレーカ部６８０よりも下方に設けることとした。これにより、洗浄水供給装置１の高さ寸法を可及的に低くすることができるため、洗浄水供給装置１をさらに小型化することができる。
【００７９】
また、図３Ａに示すように、実施形態に係る切替弁部６６０において、流出口６６４，６６５は、流入口６６３よりも下方に形成される。
【００８０】
バキュームブレーカ部６８０より下流側では残水が生じる可能性があるため、切替弁部６６０をバキュームブレーカ部６８０の下流側に設けた場合、切替弁部６６０内に残水が生じるおそれがある。残水は、切替弁部６６０内における流出口６６４，６６５よりも下方の空間に溜まることとなる。
【００８１】
従来の切替弁部は、流出口が流入口の上方に形成されていた。このため、従来の切替弁部をバキュームブレーカ部の下流側に設けることとすると、切替弁部内に多くの残水が発生するおそれがある。このため、従来では、切替弁部に残水が生じないように、バキュームブレーカ部の上流側に切替弁部を設けていた。
【００８２】
これに対し、実施形態に係る洗浄水供給装置１では、切替弁部６６０の残水対策として、流出口６６４，６６５を流入口６６３よりも下方に形成することとした。これにより、従来の切替弁部のように流出口が流入口よりも上方に形成される場合と比較して、切替弁部６６０内における流出口６６４，６６５よりも下方の空間が小さくなる。このため、従来の切替弁部と比較して、切替弁部６６０内の残水を低減することができ、残水に起因する凍結時の通水不良や破損の発生を抑えることができる。
【００８３】
さらに、実施形態に係る洗浄水供給装置１では、図３Ｂに示すように、切替弁部６６０が有するケーシング部６６８の固定弁体６６１との対向面のうち、流出口６６４，６６５との対向面６６８ａを流入口６６３との対向面６６８ｂよりも固定弁体６６１に近付けることとした。
【００８４】
これにより、残水が発生する空間である流出口６６４，６６５よりも下方の空間の容積を小さくすることができるため、かかる空間に溜まる残水の量を減らすことができる。したがって、切替弁部６６０内の残水をさらに低減することができる。
【００８５】
また、実施形態に係る洗浄水供給装置１では、切替弁部６６０内の残水を切替弁部６６０の外部に排出するために、図３Ａに示すように、切替弁部６６０の可動弁体６６２に対して排出路６６９，６６９を設けることとした。
【００８６】
可動弁体６６２は、ケーシング部６６８（図３Ｂ参照）と対向する面に、排出路６６９，６６９を備える。排出路６６９，６６９は、たとえば可動弁体６６２の周縁部のうち可動弁体６６２の回転方向外側に面する周縁部から可動弁体６６２の回転方向に面する周縁部まで直線状に延びる溝である。２つの排出路６６９，６６９のうち、一方は流出口６６４へ向かって延び、他方は流出口６６５へ向かって延びている。
【００８７】
上述したように、残水は、切替弁部６６０内における流出口６６４，６６５よりも下方の空間に溜まる。排出路６６９，６６９は、流出口６６４，６６５よりも下方の空間まで延在しており、かかる空間に溜まった洗浄水は、排出路６６９，６６９の下端から毛管現象により排出路６６９，６６９を上昇して上端まで移動した後、流出口６６４，６６５から切替弁部６６０外へ排出される。
【００８８】
このように、実施形態に係る洗浄水供給装置１では、切替弁部６６０内の残水を排出路６６９，６６９を用いて毛管現象により流出口６６４，６６５へ導き、流出口６６４，６６５から切替弁部６６０の外部へ排出することとした。したがって、切替弁部６６０内の残水をさらに低減することができる。
【００８９】
なお、排出路６６９，６６９の下端は、流出口６６５を塞いだ状態および流出口６６４を塞いだ状態を両端とする可動弁体６６２の可動範囲において、常に、流出口６６４，６６５の最下位置以下となる場所に設けられることが好ましい。これにより、流出口６６４，６６５に溜まった洗浄水をより確実に切替弁部６６０の外部に排出することができる。
【００９０】
ここでは、可動弁体６６２に２つの排出路６６９，６６９を設ける場合の例について説明したが、可動弁体６６２には、少なくとも１つの排出路６６９が設けられていればよい。また、ここでは、可動弁体６６２に直線上の排出路６６９，６６９を設ける場合の例について説明したが、排出路は、必ずしも直線上であることを要さず、たとえば曲線状や波線状、ジグザク状に形成されてもよい。
【００９１】
また、ここでは、可動弁体６６２に排出路６６９を設けることとしたが、排出路は、固定弁体６６１に設けられてもよい。たとえば、固定弁体６６１には、流出口６６４，６６５の最下位置以下の場所に一端が設けられ、他端が流出口６６４，６６５の何れかに連通する溝を排出路として有していてもよい。また、可動弁体６６２および固定弁体６６１の両方に排出路を設けることも可能である。
【００９２】
また、ここでは、可動弁体６６２のケーシング部６６８との対向面に排出路６６９，６６９を設けることとしたが、排出路は、可動弁体６６２の周面に設けられてもよい。可動弁体６６２のケーシング部６６８（図３Ｂ参照）との対向面にシボ加工を施し、かかるシボ加工された表面を排出路として用いることとしてもよい。
【００９３】
上述してきたように、実施形態に係る洗浄水供給装置１は、入水部６１０と、給水弁部６４０と、バキュームブレーカ部６８０と、出水部６７０とを備える。入水部６１０は、洗浄水が導入される。給水弁部６４０は、入水部６１０の下流側に設けられ、流路を開閉する給水弁６４２を含む。バキュームブレーカ部６８０は、給水弁部６４０の下流側に設けられ、バキュームブレーカ６８７を含む。出水部６７０は、バキュームブレーカ部６８０の下流側に設けられ、洗浄水が導出される。また、実施形態に係る洗浄水供給装置１は、入水部６１０および給水弁部６４０を含む第１ユニット６０１と、バキュームブレーカ部６８０および出水部６７０を含む第２ユニット６０２とに分割可能に構成される。
【００９４】
したがって、実施形態に係る洗浄水供給装置１によれば、汎用性を向上させることができる。
【００９５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９６】
１  洗浄水供給装置
６００  バルブユニット
６１０  入水部
６２０  定流量弁
６４０  給水弁部
６６０  切替弁部
６８０  バキュームブレーカ部
６７０  出水部
６７１  リム側出水部
６７２  タンク側出水部
【図１】
2020094485.tif 000003
【図２Ａ】
2020094485.tif 000004
【図２Ｂ】
2020094485.tif 000005
【図３Ａ】
2020094485.tif 000006
【図３Ｂ】
2020094485.tif 000007
【図４Ａ】
2020094485.tif 000008
【図４Ｂ】
2020094485.tif 000009
【図４Ｃ】
2020094485.tif 000010
【図５Ａ】
2020094485.tif 000011
【図５Ｂ】
2020094485.tif 000012
【図６Ａ】
2020094485.tif 000013
【図６Ｂ】
2020094485.tif 000014
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
便器本体に洗浄水を供給する洗浄水供給装置の一部を構成する第１ユニットであって、
洗浄水が導入される入水部と、
前記入水部の下流側に設けられ、流路を開閉する給水弁を含む給水弁部と
を備え、
前記洗浄水供給装置の一部を構成する第２ユニットであって、バキュームブレーカを含むバキュームブレーカ部と、前記バキュームブレーカ部の下流側に設けられ、洗浄水が導出される出水部とを備える前記第２ユニットの上流側に対して取り付け可能である、洗浄水供給装置の第１ユニット。
【請求項２】
前記入水部から前記出水部までの流路のうち、前記第１ユニットに形成される第１流路は、前記入水部から前記出水部までの流路のうち、前記第２ユニットに形成される第２流路よりも剛性の高い材料により形成される、請求項１に記載の洗浄水供給装置の第１ユニット。
【請求項３】
前記給水弁部は、下流側に、鉛直方向に向けて開口する円筒形状の接続凸部を備え、
前記接続凸部においてシール部材を介して前記第２ユニットに取り付けられる、請求項１または２に記載の洗浄水供給装置の第１ユニット。
【請求項４】
請求項１〜３のいずれか一つに記載の洗浄水供給装置の第１ユニットを備える、水洗大便器。
【手続補正３】
【補正対象書類名】明細書
【補正対象項目名】０００１
【補正方法】変更
【補正の内容】
【０００１】
開示の実施形態は、洗浄水供給装置の第１ユニットおよびこの第１ユニットを備える水洗大便器に関する。
【手続補正４】
【補正対象書類名】明細書
【補正対象項目名】０００６
【補正方法】変更
【補正の内容】
【０００６】
開示の実施形態は、洗浄水供給装置の汎用性を向上させることができる技術を提供することを目的とする。
【手続補正５】
【補正対象書類名】明細書
【補正対象項目名】０００７
【補正方法】変更
【補正の内容】
【０００７】
実施形態の一態様に係る洗浄水供給装置の第１ユニットは、便器本体に洗浄水を供給する洗浄水供給装置の一部を構成する第１ユニットであって、洗浄水が導入される入水部と、前記入水部の下流側に設けられ、流路を開閉する給水弁を含む給水弁部とを備え、前記洗浄水供給装置の一部を構成する第２ユニットであって、バキュームブレーカを含むバキュームブレーカ部と、前記バキュームブレーカ部の下流側に設けられ、洗浄水が導出される出水部とを備える前記第２ユニットの上流側に対して取り付け可能である。
【手続補正６】
【補正対象書類名】明細書
【補正対象項目名】０００８
【補正方法】変更
【補正の内容】
【０００８】
これにより、たとえば水洗大便器に必要な機能等に応じて第１ユニットおよび第２ユニットの組み替えが可能となるため、洗浄水供給装置の汎用性を向上させることができる。
【手続補正７】
【補正対象書類名】明細書
【補正対象項目名】０００９
【補正方法】変更
【補正の内容】
【０００９】
また、前記入水部から前記出水部までの流路のうち、前記第１ユニットに形成される第１流路は、前記入水部から前記出水部までの流路のうち、前記第２ユニットに形成される第２流路よりも剛性の高い材料により形成される。
【手続補正８】
【補正対象書類名】明細書
【補正対象項目名】００１０
【補正方法】変更
【補正の内容】
【００１０】
これにより、第１ユニットと第２ユニットを異なる材料で形成することが可能となる。そして、比較的強度を求められる第１流路を第２流路よりも剛性の高い材料で形成することにより、製造コストを低く抑えることができる。
【手続補正９】
【補正対象書類名】明細書
【補正対象項目名】００１１
【補正方法】変更
【補正の内容】
【００１１】
また、前記給水弁部は、下流側に、鉛直方向に向けて開口する円筒形状の接続凸部を備え、前記接続凸部においてシール部材を介して前記第２ユニットに取り付けられる。
【手続補正１０】
【補正対象書類名】明細書
【補正対象項目名】００１２
【補正方法】変更
【補正の内容】
【００１２】
剛性の強い第１ユニットに接続凸部を設けることで、第２ユニットに接続凸部を設けた際に比べて接続凸部が破断して離脱するリスクを減らすことができる。また、上流側の第１ユニットに接続凸部が設けられているため、流路上の段差を少なくすることができる。さらに、接続凸部にシール部材が設けられているため、第２ユニットに差し込むだけでシール性を確保しつつ両者を接続することができる。このため、組み替えが容易である。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
また、実施形態の一態様に係る水洗大便器は、上記洗浄水供給装置の第１ユニットのいずれか一つを備える。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
実施形態の一態様によれば、洗浄水供給装置の汎用性を向上させることができる。
【手続補正１８】
【補正対象書類名】明細書
【補正対象項目名】００２１
【補正方法】変更
【補正の内容】
【００２１】
以下、添付図面を参照して、本願の開示する洗浄水供給装置の第１ユニットおよびこの第１ユニットを備える水洗大便器の実施形態を詳細に説明する。なお、以下に示す実施形態によりこの発明が限定されるものではない。
【手続補正１９】
【補正対象書類名】明細書
【補正対象項目名】００９４
【補正方法】変更
【補正の内容】
【００９４】
したがって、実施形態に係る洗浄水供給装置１によれば、水洗大便器に必要な機能等に応じて第１ユニットおよび第２ユニットの組み替えが可能となるため、汎用性を向上させることができる。
また、前記第１ユニットは、前記第２ユニットの下部に配置され、前記給水弁部は、ネジが上方から挿入される複数の上側ネジ穴が形成された上側ハウジングと、前記複数の上側ネジ穴に対応する複数の下側ネジ穴が形成された下側ハウジングとを備え、前記複数の上側ネジ穴の少なくとも一つは、前記第１ユニットおよび前記第２ユニットを上方から見たときに、前記第２ユニットによって隠れる位置に設けられることを特徴とする。
洗浄水供給装置のフットプリントを小さくしようとすると、給水弁部の上側ハウジングと下側ハウジングとの締結に用いるネジ穴を給水弁部の上方に設けられるバキュームブレーカ部等によって隠れる位置に設けざるを得ない場合がある。このため、従来では、下方すなわち下側ハウジング側からネジを挿入するようにしていた。これに対し、実施形態の一態様に係る洗浄水供給装置は、第１ユニットと第２ユニットとに分割可能に構成されるため、複数の上側ネジ穴の少なくとも一つが第２ユニットによって隠れる位置に設けられていたとしても、第２ユニットを取り外すことで、全ての上側ネジ穴に対して上方からアクセスすることが可能となる。このため、従来と比較して、施工性やメンテナンス性を向上させることができる。
また、前記第２ユニットは、前記給水弁部の下流側に設けられ、前記洗浄水の流出先を切り替える切替弁部をさらに含むことを特徴とする。
給水弁部の下流側すなわち２次側に設けられる切替弁部は、給水弁部と比較して高い剛性を要しない。そこで、切替弁部を第２ユニットに含めることで、切替弁部を第１ユニットに含めた場合と比較してコストを削減することができる。
また、前記バキュームブレーカ部は、上流側に入水口、下流側に出水口を有する通水路と、前記通水路と外部とを連通する大気導入口と、前記通水路内に設けられ、前記洗浄水の水圧によって動作することにより通水時には前記入水口と前記出水口とを連通させ、非通水時には前記入水口と前記大気導入口とを連通させる弁体と、前記大気導入口から溢れ出た洗浄水を受ける水受け部とを有し、前記切替弁部は、前記バキュームブレーカ部の下流側に設けられることを特徴とする。
切替弁は、洗浄水の流出先を一の流出先から他の流出先へ切り替える際に、両方の流出先に洗浄水が流出する状態を経由する。このように両方の流出先に洗浄水が流出する状態においては、各流出先に流れる洗浄水の流量が、切替弁の上流側を流れる洗浄水の流量よりも少なくなる。したがって、仮に、切替弁の下流側にバキュームブレーカを設けた場合、流量の低下に伴う水圧の低下によってバキュームブレーカの弁体が正常に動作せず、便器本体へ供給されるべき洗浄水が大気導入口から溢れ出るおそれがある。このため、従来より、バキュームブレーカには、大気導入口から溢れ出た洗浄水を受ける水受け部が設けられている。一方、切替弁の上流側においては、上述したような流量の低下は生じない。そこで、実施形態の一態様に係る洗浄水供給装置では、バキュームブレーカを切替弁の上流側に設けることとした。これにより、流量の低下に伴う水圧の低下によって弁体の動作不良が生じる事態を抑制することができる。弁体の動作不良の発生が抑制されることで、大気導入口から溢れ出る洗浄水の量が低減されるため、水受け部を従来よりも小型化することができる。これにより、従来と比較して洗浄水供給装置を小型化することができる。